(57)【特許請求の範囲】
【請求項１】
機器との通信を行なう機器通信手段と、
前記機器通信手段により受信した前記機器の運転状態などの機器情報を管理する処理内容を逐次変更や機能追加が行なえる言語で記述している機器情報管理手段と、
前記機器情報を表示する表示装置と、
前記表示装置による表示内容を管理する処理内容を、前記機器情報管理手段の処理内容を記述している言語とは異なる言語で記述している表現手段と、を備え、
前記機器情報管理手段と前記表現手段を独立させたことを特徴とする機器管理装置。
【請求項２】
前記表現手段は、前記表示装置へ部品を表示する素部品表現手段を有するとともに、
前記表示装置へ表示する内容に基づいた部品を前記素部品表現手段により表示することを特徴とする請求項１記載の機器管理装置。
【請求項３】
前記表現手段は、前記素部品表現手段により表示する部品の挙動を決定する画面表現手段を有するとともに、
前記機器情報管理手段の指示に基づいて前記素部品表現手段および前記画面表現手段により前記表示装置へ部品を表示することを特徴とする請求項２記載の機器管理装置。
【請求項４】
前記表現手段は、前記表示装置の画面遷移の挙動を決定する画面遷移表現手段を有するとともに、
前記機器情報管理手段の指示に基づいて前記画面遷移表現手段により前記表示装置の画面を遷移させることを特徴とする請求項１または２または３記載の機器管理装置。
【請求項５】
前記表示装置に表示された機器情報を操作するための情報を入力する入力手段をさらに備え、
前記表現手段は、前記入力手段により入力された操作情報に基づいて、前記素部品表現手段により部品を表示する、または前記画面遷移表現手段により前記表示装置の画面を遷移させることを特徴とする請求項２または４記載の機器管理装置。
【発明の詳細な説明】
【０００１】
【発明の属する技術分野】
この発明は、ビル内の空調や照明などの設備機器の制御や状態監視を行なうビル管理あるいはビルメンテナンスシステムなどの設備管理システムにおける機器管理装置に関するものである。
【０００２】
【従来の技術】
従来から設備管理システムにおいて、ビル内の空調や照明などの設備管理機器の制御や監視はネットワークを介して行なえるようになっており、制御や監視の操作を行なうために監視端末や操作端末といった機器管理装置が利用されている。
一般に、機器管理装置において、操作性を向上させるには、装置の高い処理能力を求められ、また、装置開発においても長い期間と多くの労力が必要であることから、開発期間や労力をあまりかけず、安価であるが、十分な操作性を有しない状態で装置を提供するか、あるいは高価な装置と高価なソフトウエアの組み合わせて十分な操作性を有した状態で提供するか、のいずれかになる傾向にあった。
このため、安価であるが、十分な操作性を有しない場合には、居住者が操作するには不便を伴うことが多くなり、一方、十分な操作性を有するが、高価な場合は、ビルに１台ないし数台設置させるのが精一杯であり、装置の普及に障害となるという問題点があった。
【０００３】
そこで、上記課題に対する解決策として、本発明者は特願平１１−３５２７９８号で操作の表示部分をパソコンで代用できるように表示手段を設備機器管理装置から外に取り出し、クライアントサーバ方式による機能分担を可能にするような構成を提案したり、また、特開平１０−３３３８６２号公報で組み込みマイコンのＧＵＩ部品を柔軟に組み替えられるしくみを搭載することにより設備機器管理装置単体で高い操作性を実現するための構成を提案した。
【０００４】
【発明が解決しようとする課題】
上記のような従来の機器管理装置は、高度な管理情報処理や追加機能の搭載を行なうといった目的で、例えばＪａｖａ等の高級言語でプログラムが記述される傾向になっており、これらの高級言語は高機能であるため、装置への処理負荷が高く、もとより処理負荷の高いＧＵＩ画面処理を行なうには、ますます処理負荷が高いものになってしまうという問題点があった。
また、処理負荷を低くするために、ＧＵＩ画面処理を単に分離した場合には追加機能の実現が困難になってしまうという問題点があった。
【０００５】
この発明は上述のような課題を解決するためになされたもので、ＧＵＩ画面処理を分離しても追加機能の実現等の自由度を有することができ、かつ負荷軽減が可能な機器管理装置を得るものである。
【０００６】
【課題を解決するための手段】
この発明に係る機器管理装置は、機器との通信を行なう機器通信手段と、この機器通信手段による機器情報を管理する機器情報管理手段と、この機器情報管理手段による機器情報を表示する表示装置と、この表示装置による機器情報の表示内容を管理する表現手段とを備え、機器情報管理手段と表現手段を独立させたものである。
【０００７】
また、表現手段に表示装置へ部品を表示する素部品表現手段を備え、機器情報管理手段の指示により素部品表現手段に基づいて表示装置へ部品を表示するものである。
【０００８】
さらに、表現手段に素部品表現手段の挙動を決定する画面表現手段を備え、機器情報管理手段の指示により素部品表現手段および画面表現手段に基づいて表示装置へ部品を表示するものである。
【０００９】
また、表現手段に表示装置の画面遷移の挙動を決定する画面遷移表現手段を備え、機器情報管理手段の指示により画面遷移表現手段に基づいて表示装置の画面を遷移させるものである。
【００１０】
また、表示装置に表示された機器情報を操作するための情報を入力する入力手段を備え、表現手段は、入力手段より入力された操作情報と機器情報管理手段に蓄積された機器情報に基づいて、素部品表現手段による部品の表示、または画面遷移表現手段による表示装置の画面を遷移させるものである。
【００１１】
【発明の実施の形態】
実施の形態１．
図１はこの発明の実施の形態１を示す機器管理装置の構成図、図２、３、４、５はこの機器管理装置の画面表示例を示す図である。
図において、機器管理装置１は、ビル内の空調や照明等の機器Ａ６、機器Ｂ７、機器Ｃ８他を接続する機器通信手段５と、機器通信手段５から得られた各機器の状態を蓄積・保存、監視したり、制御判定を行なう機器情報管理手段４と、機器情報管理手段４の機器情報を表現するための表現手段３と、液晶などの表示装置２とを有する。
【００１２】
次に動作について説明する。
まず、表示装置２には、図２に示す画面が表示されている。そこで、例えば機器Ａ６が運転を開始した場合は、この運転開始を示す状態変化通報が機器通信手段５を介して機器情報管理手段４へ伝えられ、機器情報管理手段４が現在状態の変更として蓄積する。そして、機器情報管理手段４は現在状態の変更を表現手段３に伝達する。表現手段３は機器情報管理手段４から現在状態の変更を伝達された機器Ａ６の現在状態を表示装置２で表示しているかどうかを判定し、図２の２１に示すように表示しているため、図３の２２に示すように表示装置２に表示している内容を更新し、機器Ａ６が運転中であることを表示する。
【００１３】
次に、表示装置２には、図４に示す画面が表示され、機器Ａ６の状態を表示していない場合について説明する。上記と同様に機器Ａ６が運転を開始した場合は、この運転開始を示す状態変化通報が機器通信手段５を介して機器情報管理手段４へ伝えられ、機器情報管理手段４が現在状態の変更として蓄積する。そして、機器情報管理手段４は現在状態の変更を表現手段３に伝達する。表現手段３は機器情報管理手段４から現在状態の変更を伝達された機器Ａ６の現在状態を表示装置２で表示しているかどうかを判定し、図４に示すように表示されていないため、特に表示装置２に表示している内容を変更せず、そのまま放置する。
【００１４】
よって、機器情報管理手段４と表現手段３との間では前者から後者への更新情報および後者から前者への現在値参照が行われ、現在値をどのように処理するかという内容は表現手段３に独立している。そこで、機器情報管理手段４の処理内容については高級言語で記述し、処理内容を開発環境(エンジニアリングワークステーションやパソコン)で等価に開発することができる。また、高級言語の特徴として機能追加が行なえるため、機器情報管理手段４の機能を逐次変更する機能を搭載することができる。さらに、表現手段３を高級言語で記述せず、装置の処理負荷を低減させることができる。
【００１５】
実施の形態２．
図６はこの発明の実施の形態２を示す機器管理装置の構成図、図７、８はこの機器管理装置の画面表示例を示す図である。なお、機器管理装置の初期画面には図２を用いる。
図において、上記実施の形態１と同一または相当部分には同一符号を付け説明を省略する。表現手段３は、表示装置２へ表示する個々のボタン動作部品などの素部品表現手段１３と、表示装置２の画面内において個々の素部品表現手段１３の意味のある挙動を決定する画面表現手段１２と、表示装置２の画面の表示内容を切り替えるような画面遷移の挙動を決定する画面遷移表現手段１１とを有する。
【００１６】
次に動作について説明する。
まず、表示装置２には、図２に示す画面が表示されている。そこで、例えば機器Ａ６が運転を開始した場合は、この運転開始を示す状態変化通報が機器通信手段５を介して機器情報管理手段４へ伝えられ、機器情報管理手段４が現在状態の変更として蓄積する。そして、機器情報管理手段４は現在状態の変更を表現手段３に伝達する。
【００１７】
このとき、機器情報管理手段４は機器Ａ６に応じて素部品表現手段１３の中から該当部品、例えば空調表示表現手段の「空調機運転中」を選び、その表示状態を変更するように伝達する。
表現手段３は機器情報管理手段４から現在状態の変更を伝達された機器Ａ６の現在状態を表示装置２で表示しているかどうかを判定し、図２の２１に示すように表示しているため、図７の２３に示すように素部品表現手段１３の「空調機運転中」を用いて表示装置２に表示している内容を更新し、機器Ａ６すなわち空調機が運転中であることを表示する。
【００１８】
次に、上記機器情報管理手段４は現在状態の変更を表現手段３に伝達するに際して、例えば機器Ａ６の運転状態が変化したら警報を発するように定義されている場合について説明する。
機器情報管理手段４は、現在状態の変更を表現手段３に伝達する時に、素部品表現手段１３に対し、警報記号を表示させるとともに、画面表現手段１２に対して画面反転等の警報表示を伝達する。表現手段３ではこれら伝達された表示要求に応じて素部品表現手段１３および画面表現手段１２の現在状態を更新し、その結果を表示装置２に反映し、図２の初期表示状態から図８の２４に示すように異常表示を行う。
【００１９】
次に上記機器情報管理手段４は現在状態の変更を表現手段３に伝達するに際して、例えば機器Ａ６の運転状態が変化したら表示装置２に警告を表示するように定義されている場合について説明する。
機器情報管理手段４は、現在状態の変更を表現手段３に伝達する時に、画面遷移表現手段１１に対し、警報画面への遷移を促すとともに、警報画面における警報案内を示す素部品表現手段１３に対し、警報原因として機器Ａ６を伝達する。表現手段３ではこれら伝達された表示要求に応じて画面遷移表現手段１１および素部品表現手段１３の現在状態を更新し、その結果を表示装置２に反映し、図２の初期表示状態から図９の２５に示すような警告表示を行う。
【００２０】
よって、機器情報管理手段４から表現手段３へは表示内容の指示と更新情報と後者から前者への現在値参照とが行われる。ここで現在値をどのように処理するのかという内容を機器情報管理手段４が指示しているが、処理の具体的な内容については表現手段３が担う形になっている。そこで、機器情報管理手段４の処理内容については高級言語で記述し、処理内容を開発環境で等価に開発することができる。また、高級言語の特徴として機能追加が行なえるため、機器情報管理手段４の機能を逐次変更する機能を搭載することができる。さらに、上記特徴を有していても、表現手段３を高級言語で記述せず、装置の処理負荷を低減させることができる。
【００２１】
実施の形態３．
図１０はこの発明の実施の形態３を示す機器管理装置の構成図であり、図１０において、上記実施の形態２と同一または相当部分には同一符号を付け説明を省略する。９は表示装置２に表示された機器情報を操作するための情報を入力する入力装置であり、例えばタッチパネルを示す。タッチパネルは表示装置２である液晶の上に張りつけ、ユーザが操作押圧した箇所を液晶画面上の座標データとして取り込むものである。なお、表現手段３は、実施の形態２と同様に、画面遷移表現手段１１、画面表現手段１２、素部品表現手段１３を有する。
【００２２】
図１１はこの機器管理装置１の表現手段３により管理されている機器毎の表示位置管理情報を示す図であり、タッチパネル（入力装置９）上における各機器に対応したボタン動作部品の座標および大きさを示し、座標は表示装置２の左上端部を（０，０）に設定した場合の各機器のボタン動作部品の左上端部の座標値を示し、大きさはこの座標値から右方向、下方向への表示幅を示す。
【００２３】
ユーザがタッチパネル上の各機器のボタン動作部品を操作押圧した場合に、その操作押圧した座標位置から操作対象機器を割り出し、機器情報管理手段４により機器管理情報を取得し、素部品表現手段１３による素部品の挙動、または画面遷移表現手段１１による画面の遷移を決定する。なお、本実施の形態では、機器の属性にＯＮまたはＯＦＦの値を持つ属性のみを持つ機器については素部品の色を反転させ、それ以外の機器については属性一覧を表示するようにする。
【００２４】
図１２はこの機器管理装置１の機器情報管理手段４により管理されている機器毎の管理情報を示す図であり、機器毎に型番、属性の数、各属性の現在の値が管理される。
図１３から図１６はこの機器管理装置１の画面表示例を示す図である。
【００２５】
次に動作について説明する。
まず、属性数が１つの機器が操作された場合について説明する。
表示装置２には、図１３に示す初期画面が表示され、各機器において、図１２に示す機器管理情報の属性Ａ（機器のＯＮ／ＯＦＦ状態）がＯＮの場合は白、ＯＦＦの場合は黒で表示されている。そこで、例えばユーザが機器Ｃ８をＯＮにしたい場合は、画面上の機器Ｃ８の表示部分（図１３の２６）を指で押圧（以下、クリックという）する。これにより、タッチパネル（入力装置９）がクリックされ、入力装置９がクリックした座標データを取り込み、表現手段３へ伝達する。
【００２６】
表現手段３では、図１１の表示位置管理情報に基づいて座標データから操作対象機器を割り出す。この場合、機器Ｃ８の位置と一致するため、ユーザは機器Ｃを操作したことを認識する。続いて、機器Ｃ８の管理情報を機器情報管理手段４から取得する。機器Ｃ８の管理情報はＯＦＦの値を示す属性Ａのみであるので、表現手段３は機器情報管理手段４に記憶されている機器Ｃ８の属性Ａの値をＯＮに変更すると共に、図１４の２７に示すように、素部品表現手段１３により機器Ｃ８の状態を表示する素部品の色を反転させる。さらに、機器管理情報管理手段４に書き込まれたＯＮの情報は、機器通信手段５を介して機器Ｃ８へ送られ、機器Ｃ８をＯＮ状態にする。
【００２７】
次に、属性数が複数の機器が操作された場合について説明する。
図１５の表示装置２の初期画面において、ユーザが２８の機器Ａ６をクリックする。これにより、上記機器Ｃの場合と同様に、入力装置９が座標データを表現手段３へ伝達し、表現手段３はユーザが機器Ａ６を操作したことを認識する。続いて、機器Ａの管理情報を機器情報管理手段４から取得する。機器Ａの管理情報は複数の属性が存在するので、図１６の２９に示すように表現手段３は機器情報管理手段４に記憶されている機器Ａ６の属性を一覧表示するために、画面遷移表現手段１１により一覧表示画面へ遷移し、素部品表現手段１３により全属性の表示を行う。
【００２８】
なお、この各属性一覧の表示位置はあらかじめ座標および大きさが定められており、それに基づいて表示されており、さらに画面上の表示部分がクリックされた場合は各種情報表示が行われ、機器通信手段５を介して当該機器へ情報が送付され、当該機器を制御する。
【００２９】
例えば、機器Ａを空気調和機として、属性ＡがＯＮ／ＯＦＦの切り替え、属性Ｂが冷暖房設定（ＭｏｄｅＡが冷房、ＭｏｄｅＢが暖房）、属性Ｃが設定温度とすると、図１６の２９において、３０の表示位置を１回クリックする毎によりＯＮ／ＯＦＦを切り替え、３０の表示位置を１回クリックする毎により冷房／暖房を切り替え、３０の表示位置を１回クリックする毎により設定温度が１４℃から１℃ずつ上昇し３０℃に達すると、１４℃に戻り、再び１℃ずつ上昇し、以下同じことを繰り返すものである。
【００３０】
よって、機器情報管理手段４から表現手段３へは現在値参照が行われ、処理の具体的な内容については表現手段３が担う形になっている。そこで、機器情報管理手段４の処理内容については高級言語で記述し、処理内容を開発環境で等価に開発することができる。また、高級言語の特徴として機能追加が行なえるため、機器情報管理手段４の機能を逐次変更する機能を搭載することができる。さらに、上記特徴を有していても、表現手段３を高級言語で記述せず、装置の処理負荷を低減させることができる。
【００３１】
【発明の効果】
この発明は、以上説明したように構成されているので、以下に示すような効果を奏する。
【００３２】
機器との通信を行なう機器通信手段と、この機器通信手段による機器情報を管理する機器情報管理手段と、この機器情報管理手段による機器情報を表示する表示装置と、この表示装置による機器情報の表示内容を管理する表現手段とを備え、機器情報管理手段と表現手段を独立させたので、機器情報管理手段の処理内容については高級言語で記述し、処理内容を開発環境で等価に開発することができ、また、高級言語の特徴として機能追加が行なえるため、機器情報管理手段の機能を逐次変更する機能を搭載することができ、さらに、表現手段を高級言語で記述せず装置の処理負荷を低減させることができる。
【００３３】
また、表現手段に表示装置へ部品を表示する素部品表現手段を備え、機器情報管理手段の指示により素部品表現手段に基づいて表示装置へ部品を表示するので、機器情報管理手段側から素部品表現手段を適宜利用し、画面表示内容の制御を間接的に行なうことができる。
【００３４】
さらに、表現手段に素部品表現手段の挙動を決定する画面表現手段を備え、機器情報管理手段の指示により素部品表現手段および画面表現手段に基づいて表示装置へ部品を表示するので、機器情報管理手段側から素部品表現手段および画面表現手段を適宜利用し、画面表示内容の制御を間接的に行なうことができる。
【００３５】
また、表現手段に表示装置の画面遷移の挙動を決定する画面遷移表現手段を備え、機器情報管理手段の指示により画面遷移表現手段に基づいて表示装置の画面を遷移させるので、機器情報管理手段側から画面遷移表現手段を適宜利用し、画面表示内容の制御を間接的に行なうことができる。
【００３６】
また、表示装置に表示された機器情報を操作するための情報を入力する入力手段を備え、表現手段は、入力手段より入力された操作情報と機器情報管理手段に蓄積された機器情報に基づいて、素部品表現手段による部品の表示、または画面遷移表現手段による表示装置の画面を遷移させるので、機器情報管理手段側から画面遷移表現手段を適宜利用し、画面表示内容の制御を間接的に行なうことができ、また、各機器を操作しやすく、使いやすい機器管理装置を提供できる。
【図面の簡単な説明】
【図１】  この発明の実施の形態１を示す機器管理装置の構成図である。
【図２】  この発明の実施の形態１を示す機器管理装置の画面表示例を示す図である。
【図３】  この発明の実施の形態１を示す機器管理装置の画面表示例を示す図である。
【図４】  この発明の実施の形態１を示す機器管理装置の画面表示例を示す図である。
【図５】  この発明の実施の形態１を示す機器管理装置の画面表示例を示す図である。
【図６】  この発明の実施の形態２を示す機器管理装置の構成図である。
【図７】  この発明の実施の形態２を示す機器管理装置の画面表示例を示す図である。
【図８】  この発明の実施の形態２を示す機器管理装置の画面表示例を示す図である。
【図９】  この発明の実施の形態２を示す機器管理装置の画面表示例を示す図である。
【図１０】  この発明の実施の形態３を示す機器管理装置の構成図である。
【図１１】  この発明の実施の形態３を示す機器管理装置の表現手段で管理する表示位置管理情報を示す図である。
【図１２】  この発明の実施の形態３を示す機器管理装置の機器情報管理手段で管理する機器管理情報を示すである。
【図１３】  この発明の実施の形態３を示す機器管理装置の画面表示例を示す図である。
【図１４】  この発明の実施の形態３を示す機器管理装置の画面表示例を示す図である。
【図１５】  この発明の実施の形態３を示す機器管理装置の画面表示例を示す図である。
【図１６】  この発明の実施の形態３を示す機器管理装置の画面表示例を示す図である。
【符号の説明】
１  機器管理装置、  ２  表示装置、  ３  表現手段、  ４  機器情報管理手段、  ５  機器通信手段、  ６  機器Ａ、  ７  機器Ｂ、  ８  機器Ｃ、  ９  入力装置、  １１  画面遷移表現手段、  １２  画面表現手段、  １３  素部品表現手段。
【図１】
0004487434.tif 000002
【図２】
0004487434.tif 000003
【図３】
0004487434.tif 000004
【図４】
0004487434.tif 000005
【図５】
0004487434.tif 000006
【図６】
0004487434.tif 000007
【図７】
0004487434.tif 000008
【図８】
0004487434.tif 000009
【図９】
0004487434.tif 000010
【図１０】
0004487434.tif 000011
【図１１】
0004487434.tif 000012
【図１２】
0004487434.tif 000013
【図１３】
0004487434.tif 000014
【図１４】
0004487434.tif 000015
【図１５】
0004487434.tif 000016
【図１６】
0004487434.tif 000017